(57)【要約】【課題】光学部品がユニット内で位置を移動するような構成を持った光学ユニットにおいて、光学部品に埃等が付着してしまった場合でも、簡単かつ確実にこれを除去できるような機構を提案すること。【解決手段】撮像装置に組み込まれた光学ユニットであって、有効光線を透過する第一の位置と有効光線を透過しない第二の位置の間を移動可能な光学部品と、前記光学部品を移動させる為の移動手段と、前記光学部品が前記第一の位置と第二の位置を移動する際の、光軸方向の位置を規制する為のガイドレールと、前記光学部品の周囲を覆う外装カバーとを有し、前記外装カバーには更に、前記光学部品に付着した埃を吹き飛ばす為の気体吹き込み用の貫通穴が設けられ、前記貫通穴は、前記光学部品を挟んで前記ガイドレールに対して対向する位置に設けられている。【選択図】図１７
2016029421.tif 000002
【特許請求の範囲】
【請求項１】
撮像装置に組み込まれた光学ユニットであって、有効光線が透過する第一の位置と有効光線を透過しない第二の位置の間を移動可能な光学部品と、前記光学部品を移動させる為の移動手段と、前記光学部品が前記第一の位置と第二の位置を移動する際の、光軸方向の位置を規制する為のガイドレールと、前記光学部品の周囲を覆う外装カバーとを有し、前記外装カバーには更に、気体吹き込み用の貫通穴が設けられ、前記貫通穴は、前記光学部品を挟んで前記ガイドレールに対して対向する位置に設けられていることを特徴とする光学ユニット。
【請求項２】
前記光学部品が複数個光軸方向に並べて配置され、前記ガイドレールは前記複数個の光学部品全ての光軸方向の位置を規制すると共に、前記貫通穴は、前記複数個の光学部品の光軸方向の厚み全てにまたがる大きさになっていることを特徴とする請求項１に記載の光学ユニット。
【請求項３】
前記光学部品は回転軌跡により前記第一の位置と第二の位置を移動し、前記ガイドレールは、前記光学部品の回転軌跡と同心円の円弧形状を成していることを特徴とする請求項１又は請求項２に記載の光学ユニット。
【請求項４】
前記光学部品が前記第ニの位置にある時、前記貫通穴から吹き込まれた気体が直接前記光学部品の埃を吹き飛ばし、前記光学部品が前記第一の位置にある時、前記貫通穴から吹き込まれ、前記ガイドレールによってガイドされた気体が前記光学部品の埃を吹き飛ばすように構成されていることを特徴とする請求項１乃至請求項３の何れか一項に記載の光学ユニット。
【請求項５】
更に、前記ガイドレールとは異なる位置に、前記貫通穴より吹き込まれた気体により、吹き飛ばされた埃が付着する為の粘着材が設けられていることを特徴とする請求項１乃至請求項４の何れか一項に記載の光学ユニット。
【請求項６】
更に、前記移動手段による前記光学部品の移動を電気的に行う為の電気的移動手段と、移動方法を制御する為の移動制御手段を有し、前記移動制御手段には、通常撮影時に使用する通常モードと、光学部品の埃を除去する際に使用する埃除去モードがあり、前記埃除去モードにおいては、前記電気的移動手段によって、前記通常モードよりも低速で前記光学部品を移動させることを特徴とする請求項１乃至請求項５の何れか一項に記載の光学ユニット。
【発明の詳細な説明】
【技術分野】
【０００１】
本発明は、撮像装置において、光学部品に付着した埃を除去する機構に関する。
【背景技術】
【０００２】
通常撮像装置においては、光路に埃等が入り込み、画像に映り込んでしまうことを避ける為、撮像光学系は外部から埃等が入り込まないように密閉構造となっていることが多い。しかし、上記撮像光学系において、どれほど厳密に密閉したとしても、外部から埃が混入する可能性を無くすことは困難である。特に、近年多く市場に出回るようになってきた、レンズ交換式の撮像装置などは、その構造上、レンズ備え付けの撮像装置よりも外部から埃が進入する可能性が高い。よって、撮像光学系自体は密閉構造を取りつつも、万が一埃等が内部に混入した際には、その埃を除去できる方法が必要とされている。
【０００３】
このような方法としては、特許文献１では、ファインダーユニットをカメラボディに組み込んだ状態で露出する部分に気体吹きこみ穴が設けられ、そこから風を吹き込むと、ユニット内底面に貼りつけられた粘着テープに飛散した埃が付着する機構が提案されている。
【先行技術文献】
【特許文献】
【０００４】
【特許文献１】特開平9-90473号公報
【発明の概要】
【発明が解決しようとする課題】
【０００５】
ところで、上述の発明は、光学部品がユニット内部で固定されている場合には有効であるが、例えば光学部品に使用位置と待機位置があり、状況に応じてユニット内で移動するような場合は、光学部品の位置によっては十分に気体を吹き付けることが出来ない為、適切に上記光学部品の埃を除去することができない。
【０００６】
そこで、本発明は、光学部品がユニット内で位置を移動するような構成を持った光学ユニットにおいて、光学部品に埃等が付着してしまった場合でも、簡単かつ確実にこれを除去できるような機構を提案することを目的とする。
【課題を解決するための手段】
【０００７】
本発明は、撮像装置に組み込まれた光学ユニットであって、有効光線が透過する第一の位置と有効光線が透過しない第二の位置の間を移動可能な光学部品と、前記光学部品を移動させる為の移動手段と、前記光学部品が前記第一の位置と第二の位置を移動する際の、光軸方向の位置を規制する為のガイドレールと、前記光学部品の周囲を覆う外装カバーとを有し、前記外装カバーには更に、前記光学部品に付着した埃を吹き飛ばす為の気体吹き込み用の貫通穴が設けられ、前記貫通穴は、前記光学部品を挟んで前記ガイドレールに対して対向する位置に設けられている。
【０００８】
また、前記光学部品は複数個光軸方向に並べて配置され、前記ガイドレールは前記複数個の光学部品全ての光軸方向の位置を規制すると共に、前記貫通穴は、前記複数個の光学部品の光軸方向の厚み全てにまたがる大きさになっている。
【０００９】
また、前記光学部品は回転軌跡により前記第一の位置と第二の位置を移動し、前記ガイドレールは、前記光学部品の回転軌跡と略同心円の円弧形状を成している。
【００１０】
また、前記光学部品が前記第ニの位置にある時、前記貫通穴から吹き込まれた気体が直接前記光学部品の埃を吹き飛ばし、前記光学部品が前記第一の位置にある時、前記貫通穴から吹き込まれ、前記ガイドレールによってガイドされた気体が前記光学部品の埃を吹き飛ばすように構成されている。
【００１１】
また、前記光学ユニットは更に、前記ガイドレールとは異なる位置に、前記貫通穴より吹き込まれた気体により、吹き飛ばされた埃が付着する為の粘着材が設けられている。
【００１２】
また、前記光学ユニットは更に、前記移動手段による前記光学部品の移動を電気的に行う為の電気的移動手段と、移動方法を制御する為の移動制御手段を有し、前記移動制御手段には、通常撮影時に使用する通常モードと、光学部品の埃を除去する際に使用する埃除去モードがあり、前記埃除去モードにおいては、前記電気的移動手段によって、前記通常モードよりも低速で前記光学部品を移動させることができる。
【発明の効果】
【００１３】
本発明によれば、光学部品がユニット内で位置を移動するような構成を持った光学ユニットにおいて、光学部品に埃等が付着してしまった場合でも、簡単かつ確実にこれを除去することができる。
【図面の簡単な説明】
【００１４】
【図１】本発明の実施例における撮像機器の斜視図。
【図２】本発明の実施例における撮像機器の分解図。
【図３】本発明の実施例におけるセンサー部分の斜視図。
【図４】本発明の実施例におけるセンサーの断面図。
【図５】本発明の実施例におけるＮＤユニットの斜視図。
【図６】本発明の実施例におけるＮＤユニットの斜視図。
【図７】本発明の実施例におけるＮＤユニットの構造図。
【図８】本発明の実施例におけるＮＤユニットの構造図。
【図９】本発明の実施例におけるＮＤユニットの構造図。
【図１０】本発明の実施例におけるＮＤ構造の斜視図。
【図１１】本発明の実施例におけるＮＤユニットの構造図。
【図１２】本発明の実施例におけるＮＤユニットの構造図。
【図１３】揺動レバー斜視図。
【図１４】ギヤ斜視図。
【図１５】本発明の実施例におけるＮＤユニットの構造図。
【図１６】本発明の実施例における検出部分の構造図。
【図１７】本発明の実施例におけるＮＤユニットの構造図。
【図１８】本発明の実施例におけるＮＤ構造の斜視図。
【図１９】本発明の実施例における撮像機器の斜視図。
【図２０】ガイドレールの単品斜視図。
【図２１】本発明の実施例における制御ブロック図。
【図２２】ＮＤフィルターに付着した埃を除去する作業の流れを示すフローチャート。
【発明を実施するための形態】
【００１５】
以下、本発明の実施の形態について図面を用いて説明する。本実施例の撮像機器を図１に示す。本実施例の撮像機器は交換レンズ方式のカメラである。撮像機器本体１（以下、本体1）の前面にはレンズマウント部（以下、マウント部）３を備えており交換レンズ２が着脱可能に取りつけることが可能である。背面上部にはファインダー４を備えている。側面に配置しているボタン５、ボタン６はＮＤ切り替え操作ボタンである。ボタン５を押すと透過率の低いフィルターに切り替わり、ボタン６を押すと透過率の高いフィルターに切りかわる。マウント３の奥にはカバーガラス７２がホルダー７１に図示しない接着紙によって取りついている。８０は蓋部材であり、後述するＮＤユニットの通気口を塞いでいる。
【００１６】
図２に本体１の前面部７０の分解図を示す。被写体側からカバーガラス７１、ＮＤユニット１００、センサーユニット４０の順番に並んでいる。図３にセンサーユニット４０の斜視図を示し、図４にセンサーユニットの断面図を示す。
【００１７】
基板４２にセンサーユニット４１が実装されている。４７が撮像面である。基板４２はセンサーの裏側が四角でくりぬかれており、穴となっている（図示せず）。センサー側に絞り曲げてある取り付け板４５とセンサー裏面４１aが接着剤４６で接合されている。
【００１８】
図５にＮＤユニット１００の撮影者側からの斜視図と図６にレンズ側からの斜視図を示す。撮影者側には材質が金属でレンズの光線通過用の穴２０３が空いているベースプレート２０１と、レンズ側を覆っている樹脂製のモールドカバー２０２を外装としている。モールドカバー２０２にはレンズの光線用通過用の穴２０４が開いている。また、本体シャーシにネジ止められる四か所の受け部２０５、２０６、２０７、２０８を備えている。さらに、モールドカバー２０２には通気口２０９が設けられている。通気口２０９は、外部から気体を送り込み、ＮＤユニット内のフィルターに付着した埃等を吹き飛ばす為のものである。
【００１９】
尚、この通気口２０９は、通常時においては前述したように図１に示す蓋部材８０によって塞がれている為、この部分から埃が進入することは無い。
【００２０】
図７、図８、図９、図１０にＮＤユニット１００の内部の１枚のフィルターユニット１０８ａの切り替え構造の詳細を示す。図７、図８、図９は其々被写体側から見た正面図、側面図、背面図であり、図１０は斜視図である。但し、説明の為図７〜図１０ではフィルターユニットは１枚としているが、実際は本実施例におけるＮＤユニット１００は４枚のフィルターユニットで構成されている。４枚のフィルターユニットを備えたＮＤユニット１００の全体の構成については後述する。
【００２１】
まずモーター１０１にギヤ１０２は取りついており、モーター１０１の回転をギヤ１０３に伝達する。ギヤ１０３ｂを介してギヤ１０４に伝達される。
【００２２】
図１４に示すように、ギヤ１０４の中心軸には放射状に９０度の位相差でカムリブ１０４ａ、１０４ｂ、１０４ｃ、１０４ｄが伸びており、該カムリブ１０４ａ、１０４ｂ、１０４ｃ、１０４ｄは各々が光軸方向に所定量Ｚずらして配置されている。
【００２３】
図１３に揺動レバー１０５を示す。揺動レバー１０５の下側端面はカム摺動面１０５１を備える。図９、図１０ではカムリブ１０４aがカム摺動面１０５１に当接する構造になっている。図１１、図１２を用いてフィルターユニット１０８ａの動きの原理を説明する。
【００２４】
フィルターユニット１０８ａには図示しない締結部材によりフィルター１０９aが保持されている。
【００２５】
軸１０６、軸１０７は図５にて説明したベースプレート２０１にカシメで固定されている。揺動レバー１０５の一端は軸１０６に回動自在にカシメられており、揺動レバー１０５の他端は連結レバー１１２の一端で軸１１１によって回動自在にカシメられている。さらに連結レバー１１２の他端は軸１１０によってフィルターユニット１０８ａの一端と軸１１０を用いて回動自在にカシメられている。軸１１０の位置は軸１０７を挟んでフィルター１０９aと反対に位置している。
【００２６】
また、軸１１０近傍で連結レバー１１２にばね１１３を取り付けており、ばね１１３はフィルターユニット１０８ａを上に付勢するように下側に向けて固定されている。
【００２７】
フィルターユニット１０８ａはばね１１３により、ストッパーシャフト３００に当接してその位置にて保持される。この位置がフィルターユニット１０８ａの待機位置である。待機位置においては光線範囲にフィルターユニット１０８ａが干渉しない位置で保持する。
【００２８】
図１１、図１２においてギヤ１０４がモーターにより順回転、もしくは逆回転した時、カムリブ１０４aがカム摺動面１０５１を摺動することにより揺動レバー１０５は軸１０６を中心として矢印５００aもしくは５００bの方向に回転する。摺動レバー１０５が５００aの方向に回転する時、連動して連結レバー１１２が矢印５０１aの方向に動き、その結果フィルターユニット１０８ａが軸１０７を中心に矢印５０２a、矢印５０３aの動きをする。
【００２９】
逆に摺動レバー１０５が５００bの方向に回転する時、連動して連結レバー１１２が矢印５０１bの方向に動き、その結果フィルターユニット１０８ａが軸１０７を中心に矢印５０２b、矢印５０３bの動きをする。
【００３０】
図１２に示すフィルター１０９aの位置が使用位置である。使用位置においてはフィルター１０９aが光線範囲を覆う位置で保持する。
【００３１】
図１５にすべてのフィルターとの関係をしめす。前述したように、本実施例ではＮＤユニット１００は４枚のフィルターユニット１０８a〜１０８dで構成されており、透明度の異なる４種類のフィルター１０９ａ，１０９ｂ，１０９ｃ，１０９ｄがそれぞれフィルターユニット１０８ａ，１０８ｂ，１０８ｃ，１０８ｄに固定されている。前記フィルターユニット１０８ａ，１０８ｂ，１０８ｃ，１０８ｄはすべて同形状であり、軸１０７に挿通して、光軸方向に所定量Ｚの距離で積層状態に並んでいる。
【００３２】
フィルターユニット１０８ｂ，１０８ｃ，１０８ｄには図９のフィルターユニット１０８aと同様に揺動レバー１０５、連結レバー１１２、ばね１１３、軸１１０、軸１１１が連結しており軸１０６により４枚の揺動レバー１０５を挿通して回動可能に固定されている。
【００３３】
カムリブ１０４ａ、１０４ｂ,１０４ｃ, １０４ｄがそれぞれ揺動レバー１０５に摺動可能な位置となり、また、カムリブ１０４ａ、１０４ｂ,１０４ｃ, １０４ｄが９０度の位相差を持っているので、ギヤ１０４が９０度回転することに各機構を動かすことにより、使用位置にはいるフィルターユニットが入れ替る。
【００３４】
モーター１０１の起動は図１に示したボタン５、ボタン６を用いる。モーター１０１にはステッピングモーターを使用している。モーターの停止はフォトインタラプタで検出している。図１６に示すようにギヤ１０４には中心の同心状のリブ１０４ｆがあり、該リブ１０４には一カ所スリット１０４ｅがある。
【００３５】
４個のフォトインタラプタ６００〜６０３を９０度の位相差でリブ１０４をまたぐように配置することにより、ギヤ１０４が９０度回転するたびにスリット１０４eを検出するようにしている。
４枚のフィルタのうちいずれかが使用位置に来た時にスリット１０４eがフォトインタラプタ６００〜６０３のどれかに検出される位置関係に配置してある。
【００３６】
次に、上述した構成要素を含む、NDユニット内部全体の構造について説明する。図１７、図１８はそれぞれＮＤユニットの正面図及び背面斜視図であり、図２０はNDユニットの構成部品である、ガイドレールの単品斜視図である。説明の為に図１７はモールドケース２０２を、図１８はベースプレート２０１を取り外した図となっている。
【００３７】
ＮＤユニット１００内部にはガイドレール１２０が、通気口２０９に対向する側に配置され、ベースプレート２０１に対して留め部１２１a、１２１bでビスにより固定されている。
【００３８】
ガイドレール１２０に設けられたガイド溝１２５a〜１２５dに、対応するユニット１０８a〜１０８ｂの外周の一部が勘合し、光軸方向の移動を規制されることにより、フィルター１０９a〜１０９dの光軸方向の間隔を一定に保ちながら、５０３a及び５０３ｂ方向への移動が可能となっている。また、ガイドレール１２０はフィルター１０９a〜１０９dの回転軌跡と同心円状の円弧形状を成している。
【００３９】
更に、ベースプレート２０１に取りつけられた、くの字状の板金１２２のフィルター側の側面には、全域に渡って粘着テープが貼りつけられている（図示せず）。
【００４０】
以上のような構成とすることにより、通気口よりＸ方向に気体を吹き付けると、まず気体はガイドレール１２０に当たり、その後ガイドレール１２０の円弧形状に沿ってＹ方向へ流れる為、ＮＤフィルター１０９a〜１０９dが使用/待機位置のどちらに有る場合でも、満遍なく気体が吹き付けられ、埃を吹き飛ばすことができる。また、吹き飛ばされた埃が向かう先には、くの字状の板金１２２に貼りつけられた粘着テープが有る為、効率良く埃を付着させ、吹き飛ばされた後の埃が周囲を漂って再びＮＤフィルターに付着してしまうのを防止することが出来る。よって、本発明に依れば、光学部品がユニット内で位置を移動するような構成を持った光学ユニットにおいて、光学部品に埃等が付着してしまった場合でも、簡単かつ確実にこれを除去できる。
【００４１】
次に、本発明の２つ目の実施例について説明する。実施例２では実施例１に加え、図１９に示すような、ＮＤフィルターの埃を除去するのに適したＮＤフィルター駆動を行う為の、掃除用駆動ボタン９０が撮像装置本体１に設けられている点が異なる。図２１に、実施例２の構成における、制御ブロック図を示す。撮像装置本体１は制御部３０１、センサーユニット４０、記録部３０３、レンズマウント部３、ＮＤユニット１００、ＮＤ切り替え操作ボタン５及び６、掃除用駆動ボタン９０から成る。掃除用駆動ボタン９０を押すと、制御部３０１よりＮＤユニット１００に電気信号が送られ、ＮＤユニット１００を低速で連続的に駆動するモードになる。実際にＮＤフィルターに付着した埃を除去する為の作業の流れは、図２２のフローチャートのようになる。
【００４２】
まず撮像装置本体１の掃除用駆動ボタン９０を押すと(s502)、前述したように、低速でＮＤフィルターが連続的に駆動するモードになる(s503)。よってこの状態において、実施例１と同様通気口を通して気体をＮＤフィルターに吹きつければ(s504)、実施例１よりも更に満遍なく、効果的にＮＤフィルターに付着した埃を除去することができる（s505）。
【００４３】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４４】
１  本体、２  交換レンズ、３  マウント部、４  ファインダー、５  ボタン、
６  ボタン、４０  センサーユニット、４１  センサー、４２  センサー基板、
４５  取り付け板、４７  撮像面、７０  前面部、７１  カバーガラス、８０  蓋部材、
９０  掃除用駆動ボタン、１００  ＮＤユニット、１０１  モーター、１０２  ギヤ、
１０３  ギヤ、１０４  ギヤ、１０５  揺動レバー、
１０８ａ〜１０８ｄ  フィルターユニット、１０９ａ〜１０９ｄ  フィルター、
１２０  ガイドレール、１２１ａ〜１２１ｃ  留め部、１２２  
板金、１２５ａ〜１２５ｄ レール溝、２０１  ベースプレート、
２０２  モールドケース、２０３  穴、２０５〜２０８  受け部、２０９  通気口、
３０１  制御部、３０３  記録部
【図２１】
2016029421.tif 000003
【図２２】
2016029421.tif 000004
【図１】
2016029421.tif 000005
【図２】
2016029421.tif 000006
【図３】
2016029421.tif 000007
【図４】
2016029421.tif 000008
【図５】
2016029421.tif 000009
【図６】
2016029421.tif 000010
【図７】
2016029421.tif 000011
【図８】
2016029421.tif 000012
【図９】
2016029421.tif 000013
【図１０】
2016029421.tif 000014
【図１１】
2016029421.tif 000015
【図１２】
2016029421.tif 000016
【図１３】
2016029421.tif 000017
【図１４】
2016029421.tif 000018
【図１５】
2016029421.tif 000019
【図１６】
2016029421.tif 000020
【図１７】
2016029421.tif 000021
【図１８】
2016029421.tif 000022
【図１９】
2016029421.tif 000023
【図２０】
2016029421.tif 000024